(57)【特許請求の範囲】
【請求項１】
義歯床形成用材料による板材が重ね合わされた複数の層の義歯床であり、表面層が透明層または半透明層により形成されていると共に、前記表面層の下層が少なくとも半透明層または不透明層を一層有する義歯床を形成する工程と、
前記義歯床にレーザー照射して変性させて、前記義歯床の前記表面層の半透明層の内部と、前記下層を半透明層としたときの表面または内部、または前記下層を不透明層としたときの表面と、のいずれか一方または両方に刻印を形成する工程とを含む義歯床の製造方法。
【請求項２】
前記義歯床を複数の板状の義歯床形成用材料による形成するときに、粘膜側の表面層と口腔側の表面層とを透明層とし、内層に半透明層または不透明層とし、
前記粘膜側の表面層から、および前記口腔側の表面層から前記レーザー照射して、前記内層の半透明層または不透明層の表面に刻印を形成する請求項１記載の義歯床の製造方法。
【発明の詳細な説明】
【技術分野】
【０００１】
本発明は、総義歯や部分義歯などの有床義歯に用いられる義歯床の製造方法に関するものである。
【背景技術】
【０００２】
数多くの高齢者が入居する施設では、介護者がそれぞれの高齢者の有床義歯を管理する。しかし、介護者は、有床義歯が数多くあると取り違えることがある。
このような場合に、有床義歯に装着者を識別する情報があると、装着者の判別が容易となる。例えば、特許文献１には、レーザーを用いた義歯または義歯床への印字方法が記載されている。
【０００３】
この印字方法は、出力５Ｗの炭酸ガスレーザーを用いて義歯床に、マーキングフィールドが５ｍｍ×５ｍｍ、マ−キング線幅が０．２ｍｍ、深度が１００ミクロンで印字を行い、次いで、イカ墨１０部、ヒドロキシプロピルセルロ−ス１０部およびイオン交換水１００部をサンドミルで分散したインキを、マーキングした義歯上に塗布して文字を着色するというものである。
この印字方法を用いて装着者の氏名を印字して、装着者に関する情報を義歯または義歯床に担持させれば、介護者による取り違いも防止することができる。
【先行技術文献】
【特許文献】
【０００４】
【特許文献１】特開平７−１２４１８０号公報
【発明の概要】
【発明が解決しようとする課題】
【０００５】
しかし、特許文献１に記載のレーザーを用いた義歯または義歯床への印字方法では、義歯または義歯床の表面に印字しているため、舌で印字を触れたときに、義歯または義歯床の表面に凸凹を感じるため、舌感が悪い。
【０００６】
そこで本発明は、装着者に関する情報を担持させつつ、良好な舌感を確保することができる義歯床の製造方法を提供することを目的とする。
【課題を解決するための手段】
【０００８】
本発明の義歯床の製造方法は、義歯床形成用材料による板材が重ね合わされた複数の層の義歯床であり、表面層が透明層または半透明層により形成されていると共に、前記表面層の下層が少なくとも半透明層または不透明層を一層有する義歯床を形成する工程と、前記義歯床にレーザー照射して変性させて、前記義歯床の前記表面層の半透明層の内部と、前記下層を半透明層としたときの表面または内部、または前記下層を不透明層としたときの表面と、のいずれか一方または両方に刻印を形成する工程とを含むことを特徴とする。
【０００９】
本発明によれば、内部に刻印が形成されているため、装着者が舌で義歯床を触っても、舌が刻印に直接触れることはないため、良好な舌触りの義歯床を得ることができる。
【００１３】
また、前記義歯床を複数の板状の義歯床形成用材料による形成するときに、粘膜側の表面層と口腔側の表面層とを透明層とし、内層に半透明層または不透明層とし、前記粘膜側の表面層から、および前記口腔側の表面層から前記レーザー照射して、前記内層の半透明層または不透明層の表面に刻印を形成することが望ましい。
【００１４】
粘膜側の表面層と口腔側の表面層とが透明層であると、粘膜側と口腔側との両方からレーザー照射をすることができ、内層の半透明層または不透明層との表面に刻印を施すことができる。従って、刻印する面積を２倍にすることができるため情報量を増加させることができる。
【発明の効果】
【００１５】
本発明は、舌が刻印に直接触れることはないため、刻印によって、装着者に関する情報を担持させつつ、良好な舌感を確保することができる。
【図面の簡単な説明】
【００１６】
【図１】本発明の実施の形態に係る義歯床を用いた有床義歯を示す斜視図である。
【図２】（Ａ）〜（Ｄ）は、義歯床を２層としたときの例を示す図である。
【図３】（Ａ）および（Ｂ）は、義歯床を３層としたときの例を示す図である。
【図４】（Ａ）は、２層の義歯床の下層として、不透明層と半透明層とを組み合わせた状態を示す図であり、（Ｂ）は、３層の義歯床の下層（中間層）として、不透明層と半透明層とを組み合わせた状態を示す図である。
【図５】（Ａ）は、３層の義歯床の下層（中間層）として、半透明層を段違いで組み合わせた状態を示す図であり、（Ｂ）は、３層の義歯床の下層（中間層）として、不透明層を段違いで組み合わせた状態を示す図である。
【図６】（Ａ）は、２層の義歯床に不透明板を挟み込んだ状態の断面図であり、（Ｂ）は、（Ａ）の正面（透明層側）から見た図である。
【発明を実施するための形態】
【００１７】
本発明の実施の形態に係る義歯床を図面に基づいて説明する。
図１に示す有床義歯１０は、部分義歯である。有床義歯１０は、第１義歯部２０と第２義歯部３０とを備えている。
第１義歯部２０は、左下４番（第一小臼歯）から左下７番（第二大臼歯）までの歯牙の人工歯２１が、樹脂製の第１義歯床２２（義歯床）によって支持されている。第１義歯部２０には、左下３番（犬歯）を支台歯として引っ掛けて、第１義歯部２０の装着を安定させる左側クラスプ２３が配置されている。
【００１８】
第２義歯部３０は、右下４番（第一小臼歯）から右下７番（第二大臼歯）までの歯牙の人工歯３１が、樹脂製の第２義歯床３２によって支持されている。第２義歯部３０には、右下３番（犬歯）を支台歯として引っ掛けて、第２義歯部３０の装着を安定させる右側クラスプ３３が配置されている。
第１義歯部２０と第２義歯部３０とは、バー４０により繋がっている。
第１義歯床２２および第２義歯床３２は、毛細血管を模した赤く着色した化学繊維（毛細血管擬似繊維）を透明なアクリル系樹脂に含有させた義歯床形成用材料により形成されている。透明樹脂に毛細血管擬似繊維を含有させることで義歯床形成用材料を半透明樹脂とすることができる。義歯床形成用材料を半透明樹脂とするときには、透明樹脂に顔料や染料を分散させて透明度を低下させることができる。また、義歯床形成用材料の表面に粗面加工を施して、透明度を低下させてもよい。
【００１９】
第１義歯床２２の内部には、装着者に関する情報を示す刻印５０が形成されている。この刻印５０は、レーザー照射により第１義歯床２２を形成する義歯床形成用材料を変性させることで形成されている。
ここで、透明とは、レーザーを照射しても義歯床形成用材料を透過して、義歯床形成用材料が変性しない状態を言う。また、不透明とは、レーザーを照射すると、義歯床形成用材料の内部にレーザー光が進行できずに、義歯床形成用材料の表面が変性する状態を言う。更に、半透明とは、レーザーを照射すると、義歯床形成用材料の内部にレーザー光が進行して一部は透過するものもあるが、義歯床形成用材料の内部が変性する状態を言う。
【００２０】
刻印５０は、例えば、識別情報とすることができる。この識別情報は、データベースに登録された個人情報と関連付けられていることで、個人を間接的に特定することができる。個人情報としては、氏名、住所、生年月日、性別、血液型、治療に掛かった歯科医院を特定する病院名や病院を識別するコードなどとすることができる。更に、識別情報は、連絡先となる家族や病歴、投薬歴のほか社会歴、家族歴などとも関連付けることができる。特に、装着者が認知症を患っている場合には、連絡先となる家族に関する情報が関連付けられていると、徘徊する装着者の身元がすぐに確認でき、家族に連絡を取ったり、装着者の治療の許可を得るときに、すぐに連絡を取ったりすることができる。
【００２１】
レーザー照射による変性深さは、義歯床形成用材料の透明度や、レーザー光を照射するレーザー照射装置のレーザー光の光量、焦点距離などにより調整することができる。
なお、レーザー光は、炭酸ガスや、ヘリウム・ネオンなどの気体レーザー、ＹＡＧやルビーなどの固体レーザー、半導体レーザーなどによるものが使用できる。
【００２２】
第１義歯床２２は、義歯床形成用材料をレーザー照射により変性させた刻印５０が、内部に形成されているため、装着者が舌で第１義歯床２２を触っても、舌が刻印５０に直接触れることはない。第１義歯床２２は表面が滑らかであるため、良好な舌触りを確保することができる。従って、第１義歯床２２は、装着者に関する情報を担持させつつ、良好な舌感を確保することができる。
【００２３】
また、半透明である第１義歯床２２は、透明樹脂に毛細血管擬似繊維を含有させているため、半透明層を違和感なく形成することができる。
【００２４】
ここで、義歯床は透明度の異なる複数の層により形成することができる。
義歯床を複数の層により形成するときには、まず、有床義歯の装着者となる患者から歯型模型を採得する。次に、複数の層となる義歯床形成用材料により形成された板材のそれぞれを重ね合わせた状態とする。最後に、重ね合わせた板状の義歯床形成用材料に歯型模型の輪郭形状を転写させる。
義歯床形成用材料が熱可塑性樹脂で形成されていれば、義歯床形成用材料を加熱する共に圧力を加えて、義歯床形成用材料に歯型模型の輪郭形状を転写させる。このようにして、複数の層の義歯床を製造することができる。
【００２５】
例えば、義歯床を形成する複数の層は、図２（Ａ）〜同図（Ｄ）に示すように、２層とすることができる。レーザー光は、表面層Ｓ（口腔側）から照射される。
【００２６】
義歯床２２０，２２１が２層であるときに、図２（Ａ）および同図（Ｂ）に示すように義歯床２２０，２２１の表面層Ｓを透明層Ｌ１とすることができる。また、義歯床２２０，２２１の表面層Ｓを透明層Ｌ１としたときに、図２（Ａ）に示すように、義歯床２２０は表面層Ｓの下層Ｕとして半透明層Ｌ２としたり、図２（Ｂ）に示すように、義歯床２２１は不透明層Ｌ３としたりすることができる。
【００２７】
不透明層Ｌ３は、半透明層を形成する義歯床形成用材料の透明度を更に低下させたり、義歯床形成用材料として不透明樹脂を採用したりすることで形成することができる。また、不透明層は、金属板やジルコニアなどによる非金属板とすることも可能である。
【００２８】
また、図２（Ｃ）および同図（Ｄ）に示すように、義歯床２２２，２２３の表面層Ｓを半透明層Ｌ２とした場合には、図２（Ｃ）に示すように、義歯床２２２は表面層Ｓの下層Ｕとして、更に、半透明層Ｌ２としたり、図２（Ｄ）に示すように、義歯床２２３は不透明層Ｌ３としたりすることができる。
図２（Ｃ）に示す義歯床２２２は、表面層Ｓおよび下層Ｕの両方が半透明層Ｌ２であるが透明度を変更することができる。表面層Ｓの半透明層Ｌ２に対して、下層Ｕの半透明層Ｌ２の透明度が低いと、レーザー光が下層Ｕの半透明層Ｌ２を透過し難くなるため、下層Ｕの半透明層Ｌ２の表面や内部に刻印５０５，５０６を形成しやすい。
【００２９】
図２（Ａ）に示すように、義歯床２２０の表面層Ｓを透明層Ｌ１とし、下層Ｕを半透明層Ｌ２した場合には、レーザー光が透明層Ｌ１を透過するため、刻印５０１を半透明層Ｌ２の表面、または刻印５０２を半透明層Ｌ２の内部に形成することができる。
また、図２（Ｂ）に示すように、義歯床２２１の表面層Ｓを透明層Ｌ１とし、下層Ｕを不透明層Ｌ３した場合には、レーザー光が不透明層Ｌ３を透過できないため、刻印５０３を不透明層Ｌ３の表面に形成することができる。
【００３０】
刻印５０１を半透明層Ｌ２の表面、または刻印５０３を不透明層Ｌ３の表面に形成しても、表面層Ｓに透明層Ｌ１がカバー層として、刻印５０１，５０３を覆っているため、装着者が直接、舌で刻印５０１，５０３に触れてしまうことを防止することができる。
また、レーザー光を表面層Ｓの透明層Ｌ１を透過させて、半透明層Ｌ２の表面、または不透明層Ｌ３の表面に刻印５０１，５０３を形成すればよいため、レーザー照射装置の微調整が不要であるため、容易に刻印５０１，５０３を形成することができる。
また、刻印５０２を半透明層Ｌ２の内部に形成した場合でも、表面層Ｓが透明層Ｌ１であるため、外部から刻印５０２を視認することができる。
更に、義歯床２２１については、下層Ｕが半透明層Ｌ２であるため、刻印５０１，５０２を、義歯床２２１の粘膜側からも視認することができる。
【００３１】
図２（Ｃ）に示すように、義歯床２２２の表面層Ｓを半透明層Ｌ２とし、下層Ｕを半透明層Ｌ２した場合には、レーザー光を表面層Ｓの半透明層Ｌ２の内部に焦点させることができるため、刻印５０４を半透明層Ｌ２の内部に形成することができる。また、レーザー照射装置の調整によっては、表面層Ｓの半透明層Ｌ２が半透明であっても、半透明層Ｌ２を変性させることなく、表面層Ｓの半透明層Ｌ２を透過させることができるので、刻印５０５を下層Ｕとした半透明層Ｌ２の表面、または刻印５０６を下層Ｕの半透明層Ｌ２の内部に形成することができる。
【００３２】
図２（Ｄ）に示すように、義歯床２２３の表面層Ｓを半透明層Ｌ２とし、下層Ｕを不透明層Ｌ３した場合には、レーザー光を表面層の半透明層Ｌ２の内部に焦点させることができるため、刻印５０７を半透明層Ｌ２の内部に形成したり、表面層の半透明層Ｌ２を透過させて刻印５０８を下層Ｕとした不透明層Ｌ３の表面に形成したりすることができる。
レーザー光を表面層Ｓの半透明層Ｌ２を透過させて、義歯床２２２の下層Ｕとなる半透明層Ｌ２の表面（図２（Ｃ）参照）、または不透明層Ｌ３の表面（図２（Ｄ）参照）に刻印５０５，５０８を形成すればよいため、レーザー照射装置の微調整が不要であるため、容易に刻印５０５，５０８を形成することができる。
【００３３】
また、刻印５０４，５０６，５０７を表面層Ｓまたは下層Ｕの半透明層Ｌ２の内部に形成した場合でも、表面層Ｓが半透明層Ｌ２であるため、外部から刻印５０４，５０６，５０７を視認することができる。
更に、義歯床２２２については、下層Ｕが半透明層Ｌ２であるため、刻印５０５，５０６を、義歯床２２２の粘膜側からも視認することができる。また、表面層Ｓが半透明層Ｌ２であるため、刻印５０４においても、義歯床２２２の粘膜側からも視認することができる。
【００３４】
義歯床２２０〜２２３への刻印５０１〜５０８は、表面層Ｓ側（口腔側）からのレーザー照射によるが、義歯床２２０，２２２についての刻印は、下層Ｕ側（粘膜側）からのレーザー照射によるものでもよい。
【００３５】
ここで、複数の層が３層の場合を、図３に基づいて説明する。
図３（Ａ）および同図（Ｂ）に示す義歯床２２４，２２５では、口腔側の表面層Ｓ１と、粘膜側（顎堤側）の表面層Ｓ２とが透明層Ｌ１で、表面層Ｓ１，Ｓ２の下層Ｕ（内層）が半透明層Ｌ２としたり、不透明層Ｌ３としたりしている。
【００３６】
口腔側の表面層Ｓ１と、粘膜側（顎堤側）の表面層Ｓ２とを透明層Ｌ１とすることにより、義歯床２２４，２２５では、下層Ｕの口腔側と粘膜側との両方の表面には、刻印５０９，５１１〜５１３が形成されている。
この刻印５０９，５１１〜５１３は、レーザー照射を、義歯床２２４，２２５の口腔側からと、粘膜側からの両方で行うことで形成することができる。
【００３７】
また、義歯床２２４では、下層Ｕの半透明層Ｌ２内部に、刻印５１０が形成されている。この刻印５１０は、下層Ｕの口腔側または粘膜側のいずれかからのレーザー照射によっても形成することができる。
【００３８】
刻印５０９，５１１〜５１３は、下層Ｕの半透明層Ｌ２または不透明層Ｌ３の表面に形成されているため、容易に形成することができる。
また、刻印５０９，５１１〜５１３は、下層Ｕの両方の表面に形成されているため、刻印する面積を２倍にすることができるため情報量を増加させることができる。
【００３９】
このように、口腔側の表面層Ｓ１と、粘膜側（顎堤側）の表面層Ｓ２とを透明層Ｌ１で覆うことにより、下層Ｕの口腔側と粘膜側との両方の表面に刻印５０９，５１１〜５１３を形成しても、装着者が直接、舌で刻印５０９，５１１〜５１３に触れてしまうことを防止することができる。従って、装着者の舌感を良好なものとすることができる。
【００４０】
また、図２（Ａ）から同図（Ｄ）と、図３（Ａ）および同図（Ｂ）とに示す義歯床２２０〜２２５では、複数の層により形成されているため、表面層Ｓ，Ｓ１，Ｓ２を、硬化すると軟質となる義歯床形成用材料を使用し、下層Ｕを硬質となる義歯床形成用材料を使用することで、良好な舌触りを確保しつつ、強度を確保することができる。また、反対に、図３（Ａ）および同図（Ｂ）に示す義歯床２２４，２２５においては、下層Ｕが他の層（表面層Ｓ１，Ｓ２）より軟質であると、下層Ｕを咬合力に対する義歯床のクッションとして機能させることができる。更に、粘膜側の層（図２においては下層Ｕ、図３においては表面層Ｓ２。）を、その他の層より軟質な義歯床形成用材料とすると、顎堤への負担を軽減することができる。
【００４１】
図３（Ａ）および同図（Ｂ）に示す義歯床２２４，２２５は、３層であるが、４層以上としてもよい。義歯床を４層以上とするときでも、粘膜側の表面層と、口腔側の表面層とを、透明層とすることが望ましい。粘膜側の表面層と、口腔側の表面層とを、透明層とすることにより、下層（内層）の不透明層または半透明層の表面に刻印することができる。
【００４２】
次に、複数の層で形成された義歯床の変形例を説明する。
図４（Ａ）および同図（Ｂ）に示す義歯床２２６，２２７は、同じ深さの層で半透明層Ｌ２と不透明層Ｌ３とを組み合わせている。
図４（Ａ）に示す義歯床２２６は、表面層Ｓが透明層Ｌ１により形成され、下層Ｕが不透明層Ｌ３および半透明層Ｌ２により形成されている。
図４（Ｂ）に示す義歯床２２７は、口腔側の表面層Ｓ１および粘膜側の表面層Ｓ２が透明層Ｌ１により形成され、下層Ｕ（中間層）が不透明層Ｌ３および半透明層Ｌ２により形成されている。
このように、下層Ｕが不透明層Ｌ３および半透明層Ｌ２により形成されていることで、同じレーザー照射でも、不透明層Ｌ３は表面を変性させて刻印５１４，５１６を形成することができ、半透明層Ｌ２は内部を変性させて刻印５１５，５１７を形成することができる。
【００４３】
また、下層Ｕを構成する２つの層を異なる深さに位置させてもよい。図５（Ａ）に示す義歯床２２８は、半透明層Ｌ２が下層Ｕ１，Ｕ２（中間層）として段違いな位置に配置されている。また、図５（Ｂ）に示す義歯床２２９は、不透明層Ｌ３が下層Ｕ１，Ｕ２（中間層）として段違いな位置に配置されている。
このように、半透明層Ｌ２や不透明層Ｌ３を段違いな位置に配置しても、刻印５１８〜５２１を異なる深さに形成することができる。
刻印を異なる深さに形成することで、文字や図形を浮き上がらせて表現するこができるため、表現の幅を拡げることができる。
【００４４】
また、図５（Ａ）および同図（Ｂ）に示す義歯床２２８，２２９の場合には、表面層Ｓ１側（口腔側）からレーザー光を照射して、刻印５１８〜５２１を形成するだけでなく、表面層２側（粘膜面側）からレーザー光を照射して刻印を形成することができる。そうすることで、表面（口腔側）と裏面（粘膜面側）とから視認できる刻印を、深さ違いな状態で形成することができる。
【００４５】
義歯床に、装着者に関する情報を示す刻印を形成するだけでなく、文字や図形、写真などの情報が形成された板状体を一緒に挟み込んで義歯床を形成することも可能である。
例えば、図６（Ａ）および同図（Ｂ）に示すように、「特許太郎」と表記された不透明板６０を、一方が透明樹脂Ｌ１、他方が半透明樹脂Ｌ２した２枚の板状の義歯床形成用材料に挟み込み、装着者から最得した歯型模型の形状を転写して義歯床２３０を作製する。そして、レーザー照射して、半透明層Ｌ２に刻印５２２を形成する。
そうすることで、義歯床２３０は、下層Ｕとした半透明層Ｌ２に形成された刻印５２２だけでなく、文字や図形、写真などの情報が形成された不透明板６０を一緒に内蔵させることができる。なお、不透明板は、例えば、金属板や樹脂板、ジルコニアなどによる非金属板とすることができる。
【００４６】
なお、図１においては、刻印５０は英文字と数字によるものであるが、漢字や片仮名、ひらがななどの文字、記号、図形としてもよい。また、一次元バーコードや、ＱＲコード（登録商標），ｉＱＲコード（登録商標）などの二次元バーコードの光学的読取情報とすることも可能である。
【産業上の利用可能性】
【００４７】
本発明は、部分義歯や総義歯などの有床義歯に用いられる義歯床に好適である。
【符号の説明】
【００４８】
１０  有床義歯
２０  第１義歯部
２１  人工歯
２２  第１義歯床
２３  左側クラスプ
３０  第２義歯部
３１  人工歯
３２  第２義歯床
３３  右側クラスプ
４０  バー
５０，５０１〜５２２  刻印
６０  不透明板
２２０〜２３０  義歯床
Ｌ１  透明層
Ｌ２  半透明層
Ｌ３  不透明層
Ｓ，Ｓ１，Ｓ２  表面層
Ｕ  下層
【図１】
0006456698.tif 000002
【図２】
0006456698.tif 000003
【図３】
0006456698.tif 000004
【図４】
0006456698.tif 000005
【図５】
0006456698.tif 000006
【図６】
0006456698.tif 000007